(57)【要約】      （修正有）【課題】運転計画の作成、配信および運転計画に基づく運転を停止した後も、リモコン装置による設定変更に対応可能な建物用機器制御システムを提供する。【解決手段】建物用機器制御システムＡであって、制御装置ＨＧＷにより作動を制御される被制御機器（蓄電池２および各装置３〜５）と、運転計画の作成および配信を行う管理サーバＳｖと、各種設定が可能なリモコン装置６と、を備える。制御装置ＨＧＷは、配信された運転計画に基づいて被制御機器の作動を制御する。管理サーバＳｖは、リモコン装置６の設定が、運転計画の実行できない設定のときには、運転計画の配信を停止し、その後、リモコン装置６の設定状態を所定の間隔で確認し、運転計画の実行が可能な設定に変更されたときには、配信停止を解除し、運転計画の作成および配信を実行する。【選択図】図１
2020052487.tif 000002
【特許請求の範囲】
【請求項１】
建物に設けられた制御装置と、
前記制御装置により作動を制御される被制御機器と、
前記制御装置と通信可能に接続され、前記被制御機器の作動開始、作動停止、作動状態を含む運転計画を所定の間隔で作成し、かつ、作成した前記運転計画を前記制御装置に配信する管理サーバと、
前記制御装置と通信可能であり、前記被制御機器の作動開始、作動停止、作動状態の少なくともいずれかの設定が可能なリモコン装置と、
を備え、前記制御装置は、配信された前記運転計画に基づいて前記被制御機器の作動を制御する建物用機器制御システムであって、
前記管理サーバは、
前記リモコン装置による設定が、前記運転計画による制御を実行できない設定であるときには、前記運転計画の前記制御装置への配信を停止する配信停止処理を行い、
その後、前記リモコン装置による設定状態を確認する確認処理を所定の間隔で行い、
前記確認処理により、前記リモコン装置による設定が、前記運転計画に基づく制御を実行可能な設定に変更されたと判定したときには、前記配信停止処理を解除して前記運転計画の作成および配信を実行する運転計画配信処理を行う
建物用機器制御システム。
【請求項２】
請求項１に記載の建物用機器制御システムにおいて、
前記リモコン装置として、前記制御装置に接続された第１のリモコン装置と、前記管理サーバに通信可能な第２のリモコン装置とを備え、
前記管理サーバは、
前記第２のリモコン装置による制御開始操作を受けて前記運転計画の作成および配信を開始し、
前記第２のリモコン装置の前記制御開始操作を受けて前記運転計画の作成および配信の実行中において、前記第１のリモコン装置により前記運転計画に基づく制御を実行できない設定が成されたときに、前記配信停止処理を行い、かつ、前記確認処理により、前記第１のリモコン装置により前記運転計画に基づく制御を実行可能な設定に変更されたことが確認された場合に、前記運転計画配信処理を行う
建物用機器制御システム。
【請求項３】
請求項２に記載の建物用機器制御システムにおいて、
前記管理サーバは、
前記第２のリモコン装置による制御開始操作を受けて前記運転計画の作成および配信を開始する一方、前記第２のリモコン装置による制御停止操作が行われた場合にも、前記配信停止処理を実行し、
前記第２のリモコン装置の前記制御停止操作による前記配信停止処理中は、前記第１のリモコン装置による設定が前記運転計画に基づく制御を実行可能な設定であっても、前記配信停止処理を継続し、次に、前記第２のリモコン装置により前記制御開始操作が行われ、前記第１のリモコン装置による設定が前記運転計画に基づく制御を実行可能な設定である場合に、前記配信停止処理を解除する
建物用機器制御システム。
【発明の詳細な説明】
【技術分野】
【０００１】
本発明は、建物用機器制御システムに関する。
【背景技術】
【０００２】
家庭で使用する電気の節約や、電気の効率的な利用を行わせるものとしてＨＥＭＳ（Home Energy Management System）などの建物用機器制御システムが知られている。この建物用機器制御システムでは、空調装置、給湯装置、太陽光発電装置、蓄電装置といった住宅用機器の電力消費量や、発電量や充放電量などをモニタしたり、自動制御したりする。
【０００３】
また、この建物用機器制御システムは、各住宅に設置された制御装置と管理サーバとが通信ネットワークを介して接続され、管理サーバでは、各住宅から送られてくるデータに基づいて、住宅毎に独立した運転計画を作成し制御装置に送信するようになっている。
【０００４】
なお、上述のような建物用機器制御システムとしては、下記の特許文献１、特許文献２に記載のものなどが知られている。
特許文献１には、ヒートポンプ貯湯式給湯機の制御に関して、ヒートポンプ貯湯式給湯機と連係する建物内の電力需要を監視するＨＥＭＳコントローラを設けて、深夜時間帯に翌日の目標熱量を沸き上げるようにした給湯システムが記載されている。
【０００５】
また、特許文献２には、ＨＥＭＳコントローラを備えたエネルギー管理システムが記載されている。このシステムは、電力消費量が増大して電力量が逼迫した状況になる場合や一時的に発電量が増大して電力の供給が過剰になる場合に、電力会社が集中管理システムに対して消費電力量の調整要求を送るものである。また、集中管理システムは、通信ネットワークを介して電力会社および各家庭に設置したＨＥＭＳコントローラと接続されており、電力会社からの要求に応じて各家庭に設置したＨＥＭＳコントローラを介して家庭内の機器を制御するようになっている。
【先行技術文献】
【特許文献】
【０００６】
【特許文献１】特開２０１４−１６３６４０号公報
【特許文献２】特開２０１４−１２００３０号公報
【発明の概要】
【発明が解決しようとする課題】
【０００７】
ところで、上述の従来技術では、住宅毎に、住人が種々の設定が可能なリモコン装置が設けられ、このリモコン装置により、室温の設定や、各機器の作動開始時刻、作動停止時刻などの設定（タイマ設定）などを行うことができるようになっている。
【０００８】
そして、リモコン装置による設定によっては、制御装置による運転計画による運転が中止されたり、管理サーバによる運転計画の作成、配信が停止されたりすることがある。
【０００９】
従来、上述のように、一旦、管理サーバにおける運転計画の作成が停止されると、制御装置と管理サーバとの通信が停止されるため、その後、リモコン装置により運転計画の実施可能に設定変更がなされても、運転計画に基づく運転が停止される不具合があった。
【００１０】
本開示は、上記課題に着目してなされたもので、運転計画の作成、配信および運転計画に基づく運転を停止した後も、リモコン装置による設定変更に対応可能な建物用機器制御システムを提供することを目的とする。
【課題を解決するための手段】
【００１１】
本開示の建物用機器制御システムは、
建物に設けられた制御装置と、
前記制御装置により作動を制御される被制御機器と、
前記制御装置と通信可能に接続され、前記被制御機器の作動開始、作動停止、作動状態に関する運転計画を所定の間隔で作成し、かつ、作成した前記運転計画を前記制御装置に配信する管理サーバと、
前記制御装置と通信可能であり、前記被制御機器の作動開始、作動停止、作動状態の少なくともいずれかの設定が可能なリモコン装置と、
を備え、前記制御装置は、配信された運転計画に基づいて前記被制御機器の作動を制御する建物用機器制御システムである。
【００１２】
そして、前記管理サーバは、
前記リモコン装置による設定が、前記運転計画による制御を実行できない設定であるときには、前記運転計画の前記制御装置への配信を停止する配信停止処理を行い、
その後、前記リモコン装置による設定状態を確認する確認処理を所定の間隔で行い、
前記確認処理により、前記リモコン装置による設定が、前記運転計画に基づく制御を実行可能な設定に変更されたと判定したときには、前記配信停止処理を解除して前記運転計画の作成および配信を実行する運転計画配信処理を行う。
【発明の効果】
【００１３】
本開示の建物用機器制御システムは、運転計画の配信停止後も、所定の間隔でリモコン装置による設定状態の確認処理を実行するため、運転計画の作成が可能な設定変更があった場合には、運転計画の作成および運転計画の配信が可能である。したがって、リモコン装置による設定変更に対応して、制御装置による被制御機器の自動運転制御を再開できる。
【図面の簡単な説明】
【００１４】
【図１】実施の形態１の建物用機器制御システムの全体の概要を表した説明図である。
【図２】実施の形態１の建物用機器制御システムにおける管理サーバＳｖによる運転計画の作成手順を示すフローチャートである。
【図３】実施の形態１の建物用機器制御システムの動作例を示すタイムチャートである。
【図４】実施の形態２の建物用機器制御システムの管理サーバＳｖにおけるＷｅｂフラグの設定処理の流れを示すフローチャートである。
【図５】実施の形態２の建物用機器制御システムにおける管理サーバＳｖによる運転計画の作成手順を示すフローチャートである。
【図６】実施の形態２の建物用機器制御システムの動作例を示すタイムチャートである。
【発明を実施するための形態】
【００１５】
以下、本開示の建物用機器制御システムの実施形態について説明する。
【００１６】
図１は実施の形態１の建物用機器制御システムＡの全体の概要を表した説明図である。
この実施の形態１の建物用機器制御システムＡは、邸Ｈ１、邸Ｈ２、邸Ｈ３、・・に設置した各種機器を制御するためのシステムである。なお、以下の説明において、邸Ｈ１、Ｈ２、・・・のうちで、特定のものを指さない場合には、単に邸Ｈと表記する。
各邸Ｈには、制御装置ＨＧＷおよびこの制御装置ＨＧＷにより制御される被制御機器が設置されているが、この制御装置ＨＧＷおよび被制御機器は、邸Ｈ１に設置されたものを代表して説明する。なお、他の邸Ｈは、制御装置ＨＧＷが設置されている点では共通しているが、被制御機器については、邸Ｈ１と共通であってもよいし、共通していなくてもよい。
【００１７】
邸Ｈ１に設置された制御装置ＨＧＷは、ＣＰＵ（central processing unit）やメモリを備え、プログラムを実行して機器の制御が可能ないわゆるマイクロコンピュータである。この制御装置ＨＧＷは、インターネットなどの通信ネットワークＮＷを介して直接もしくは間接的に管理サーバＳｖに接続されている。そして、制御装置ＨＧＷは、管理サーバＳｖから受信した運転計画や、各制御装置ＨＧＷおよび後述の制御部２１，３１，４１，５１が備えるプログラムに基づいて後述する各種住宅用の被制御機器の運転を制御するとともに、運転状態を監視する。なお、図示の例では、管理サーバＳｖとして複数のサーバＳｖ１、Ｓｖ２から構成されたものを示しているが、その数は１であってもよいし、３以上であってもよい。
【００１８】
ここで、邸Ｈ１に設置されている住宅用の被制御機器について説明する。
邸Ｈ１には、実施の形態１の建物用機器制御システムＡによる制御対象の住宅用の被制御機器として蓄電池２、給湯装置３、暖房装置４、空調装置５が設けられている。また、邸Ｈ１には、スマートメーターＳｍや情報分電盤Ｂが設置され、太陽光発電装置２０によって生成した電力の売電や、商用電力の買電を行うといったコントロールや管理が行われる。
【００１９】
そして、上述した蓄電池２および各装置３〜５は、制御装置ＨＧＷと通信可能に接続されている。また、制御装置ＨＧＷは、ルータＲを経由して通信ネットワークＮＷに接続可能となっている。
【００２０】
蓄電池２は、太陽光発電装置２０により発電した電力や、外部の商用電力を充電し、充電した電力を適宜放電して邸Ｈ１において使用する。そこで、蓄電池２は、充電や放電といった動作を行うための各種デバイスと、これらを制御するＣＰＵ（central processing unit）などの制御部２１を備える。また、制御部２１には、制御プログラムや、デフォルトの設定を含めた各種の情報を記憶する記憶部（不図示）を備える。
【００２１】
そして、制御部２１は、制御装置ＨＧＷとの通信（指令など）によって蓄電池２用に設定された運転計画やデフォルトの設定に基づいて充電、放電を行うように制御する。
【００２２】
なお、デフォルトの設定とは、例えば、工場出荷時に設定された初期設定の運転モードや、複数の運転モードの中から利用者が選択した運転モード（例えば経済性優先モード）の充電時間帯、放電時間帯の開始および終了時刻の設定である。また、運転モードとして、例えば、自立率優先モード、経済性優先モード、出力抑制機能、停電情報対応といった現在備えているモードや将来的に付加を予定している機能を有する。さらに、制御部２１は、蓄電池２の運転状況を示す信号を制御装置ＨＧＷに対して出力し、かつ、定期的もしくはその都度新しい運転計画を取得するように構成されている。
【００２３】
給湯装置３は、ヒートポンプを利用した省エネ効果の高い給湯設備であり、湯の沸き上げや貯湯を行う。そこで、給湯装置３は、湯の沸き上げや給湯に使用する機器を制御するＣＰＵなどの演算手段や、制御プログラム、デフォルトの運転モードを含む各種の情報を記憶する記憶部（不図示）を含む制御部３１を備えている。
【００２４】
そして、制御部３１は、制御装置ＨＧＷとの通信によって得られた給湯装置３用に設定された運転計画やデフォルトの設定に基づいて湯の沸き上げや貯湯を行う。なお、デフォルトの設定とは、例えば、利用者が決めた湯沸かしの開始時刻などの設定である。また、運転状況を制御装置ＨＧＷに対して出力し、定期的もしくはその都度新しい運転計画を取得する。
【００２５】
例えば、制御部３１は、運転計画に基づいて、太陽光発電や蓄電池２の余剰電力をできるだけ活用して日中に湯を沸かし、余剰電力だけでは足りない分を深夜に沸かすよう給湯装置３を制御する。このような運転計画では、深夜よりも気温が高い日中に沸かすことで運転効率が高く、また保温時間短縮により省エネも図ることができる。また、雨天など余剰電力が少ない日には深夜にできるだけ湯を沸き上げるといった気象条件などに基づく運転計画によって制御が行われる。
また、制御部３１は、給湯装置３の運転状況を制御装置ＨＧＷに対して出力し、定期的もしくはその都度新しい運転計画を取得する。
【００２６】
空調機器の一つである暖房装置４は、本実施例では床下もしくは室内に配置した放熱器によって室内を暖房する装置として形成されている。例えば、一階フロアの床下に、室外機に接続した放熱器を設置することで、床下暖房として機能させるものがある。また、一階フロアの床下に配置した放熱器と、２階フロアの各室内に配置した放熱器によって邸内を暖房するものがある。
【００２７】
暖房装置４に設けられた制御部４１は、制御装置ＨＧＷとの通信によって得られた暖房装置４用に設定された運転計画やデフォルトの設定に基づいて暖房を行う。デフォルトの設定とは、例えば、工場出荷時に設定された初期設定の運転モードや、利用者が生活スタイル（起床時間、不在時間）や希望する電力料金に合わせて設定する運転開始時刻及び運転終了時刻などのタイマ設定である。なお、工場出荷時に設定された運転モードでは、深夜電力を利用し、建物の床下、躯体、室内を冷暖房する運転を行う。
【００２８】
また、運転計画に基づく自動制御では、例えば翌日の天気予報情報の外気温予測値と利用者による入力スケジュールを基に、利用者の起床時刻に設定温度の環境に到達するように深夜キープ運転の停止可能時間を判断するような制御が行われる。これは、毎日の生活に合わせた省エネ運転が目的であり、外気温が高めの日は停止時間を長く、低い日は停止時間を短くするような制御が行われる。また、消費電力情報などから、日による入室時刻の違いを明らかにし、入室時刻が早い場合にも利用者の快適性を確保できる制御等も実施可能である。また、電力単価も考慮した運転も可能である。
【００２９】
空調装置５は、室内の暖房や冷房を行う所謂エアコンとして機能する空調機器であり、快適性を保ちながら深夜の運転を最適化することで省エネ効果を発揮する機器である。
【００３０】
この空調装置５に設けられた制御部５１は、制御装置ＨＧＷとの通信によって得られた空調装置５用に設定された運転計画やデフォルトの設定に基づいて冷暖房を行う。このデフォルトの設定は、例えば、工場出荷時の初期設定や、利用者が生活スタイル（起床時間、不在時間）や希望する電力料金に合わせて設定する運転開始時刻及び運転終了時刻などのタイマ設定である。
【００３１】
また、翌日の天気予報情報の外気温予測値と邸Ｈの住人の生活スケジュールを基に作成した運転計画に基づく自動制御では、暖房の場合は、深夜キープ運転時間において、利用者の起床時刻に設定温度の環境に到達する条件で深夜キープ運転よりも消費電力の少ない弱運転（省エネキープ）が可能な時間を判断し、効率的な弱運転の時間を設定することで毎日の生活に合わせた省エネ運転が行われる。また、運転計画の一例として、外気温が高めの日は省エネキープ時間を長く、低い日は省エネキープ時間を短くするようなことが行われる。
【００３２】
一方、運転計画による冷房の場合、深夜の除湿運転時間のうち、起床時刻に設定湿度の環境に到達する条件で、深夜除湿運転よりも弱運転（省エネキープ）が可能な時間を判断し、効率的な弱運転の時間を設定することで毎日の生活に合わせた省エネ運転を行う。
【００３３】
また、人感センサーや消費電力情報などから日による入室時刻の違いを明らかにし、入室時刻が早い場にも快適性を確保できる等の快適性の向上をねらった制御も可能となっている。さらに、電力単価を考慮した運転計画を策定し実施することも可能である。
【００３４】
リモコン装置６は、壁リモコン６１、Ｗｅｂリモコン６２を有する。壁リモコン６１は、邸Ｈの室内の壁に設置され、被制御機器の運転の設定を行うとともに、その運転状態や運転計画を画面により確認することができる。Ｗｅｂリモコン６２は、制御装置ＨＧＷに設定情報等を通信可能であるとともに、制御装置ＨＧＷを介してあるいは直接通信ネットワークＮＷに接続して管理サーバＳｖと設定情報の通信が可能となっている。このＷｅｂリモコン６２は、建物用機器制御システムＡの専用のものを用いてもよいが、既存のパーソナルコンピュータや携帯端末などにアプリケーションをダウンロードして用いることができる。
【００３５】
上述した蓄電池２、給湯装置３、暖房装置４、空調装置５等は、制御装置ＨＧＷによって制御される被制御機器として機能するものであり、制御装置ＨＧＷとの間で運転計画や運転状況等の各種情報を受信もしくは送信するようになっている。制御装置ＨＧＷは、ＨＥＭＳ端末とも称されるものであり、通信ネットワークＮＷに接続したルータＲを経由して管理サーバＳｖと通信するように構成されている。制御装置ＨＧＷは、ＣＰＵなどの演算手段、制御装置ＨＧＷ自体の制御プログラム、各種の情報を記憶する記憶手段を有しており、リモコン装置６を使用して各種の設定や制御を行うようになっている。
【００３６】
ここで、管理サーバＳｖおよび運転計画について簡単に説明する。
管理サーバＳｖは、各邸Ｈの各電力負荷の消費電力や、邸Ｈの住人の生活スケジュールや入力データ等の種々の検出情報を受け取るとともに、気象情報（天気予報データ、外気温など）を受け取る。そして、管理サーバＳｖは、邸Ｈごとに、各電力負荷の消費電力を気象情報に関連付けて履歴として保存する。
【００３７】
さらに、管理サーバＳｖは、天気予報データなどに基づいて、例えば、翌日などの未来の所定の時間帯毎の消費電力を予測し、この消費電力の予測に基づいて、邸Ｈごとに、最適の運転計画を作成し、制御装置ＨＧＷに出力する。この運転計画は、一定期間（例えば、２４時間）における一定時間間隔（例えば、３０分毎）の被制御機器（蓄電池２および各装置３〜５）の運転状態を指定する。ここで、前述のように、運転計画は、深夜に、深夜電力による省エネ運転を行って起床時刻に室内を所定の環境温度とするとともに、給湯装置３に所望の蓄熱を行う運転計画を主としている。
【００３８】
なお、各邸Ｈからの管理サーバＳｖへの情報の出力は、毎日予め設定された時刻（例えば、午前１０時）に行われる。また、管理サーバＳｖから各邸Ｈへの運転計画の出力も、毎日予め設定された時刻（例えば、１５時）に行われる。
【００３９】
次に、リモコン装置６の操作に対応して管理サーバＳｖにおける運転計画の作成、配信およびこの作成、配信の停止について説明を加える。
上述のように、リモコン装置６を用いて、被制御機器（蓄電池２や各装置３〜５）ごとに、動作モードやタイマ設定などの設定が可能となっている。そのため、設定状態によっては、運転計画の実行ができない設定状態が存在する。
【００４０】
ここで、運転計画の実行ができない場合というのは、例えば、暖房装置４や空調装置５にあっては、暖房または冷房時に省エネ運転をするために除湿モードに設定されていた場合がある。あるいは、タイマ設定を書き換え、手動で連続運転に設定されている場合がある。これらの場合には、運転計画の実行ができない、すなわち、運転計画実行条件が非成立とする。
【００４１】
また、タイマ設定による制限としては、省エネ効果が得られないようなタイマ設定が成された場合がある。ここで説明を加えると、運転計画では、深夜時間帯における運転モードを設定する。また、運転計画では、朝の起床時刻には快適な室温になるよう、起床時刻の設定時間前には省エネ運転から元の運転に戻す時刻が決まっている。
【００４２】
これに対して、住人がリモコン装置６によるタイマ設定により、上記のような深夜の所定時間帯の省エネ運転や、所定時刻の省エネ運転の終了などの実行不能となる場合、省エネ効果が無いとして、運転計画条件非成立として、自動制御を行わない。
【００４３】
また、蓄電池２にあっては、運転計画が実行できない場合として、待機モード（充放電を行わないモード）や、非常時安心モード（停電時には放電するが通常時は放電しない）や、手動での充電または放電モードに設定されている場合などがある。このような場合も、運転計画実行条件非成立とする。
【００４４】
次に、上述の管理サーバＳｖによる運転計画の作成手順を図２のフローチャートに基づいて説明する。
【００４５】
この管理サーバＳｖにおける運転計画の作成は、Ｗｅｂリモコン６２による制御許諾オン操作を受けて開始される。すなわち、Ｗｅｂリモコン６２の制御許諾オン操作により、図２に示す制御フローをスタートする。
【００４６】
そして、運転計画作成制御の開始後の最初のステップＳ１０１では、データの読み込みを行う。このデータには、各邸Ｈの制御装置ＨＧＷから送られてくるデータの他に、天気予報データなどの気象データが含まれる。
【００４７】
次のステップＳ１０２では、運転計画実行条件が成立しているか否かを判定し、運転実行条件が成立していれば、ステップＳ１０３に進み、運転計画実行条件が成立していなければ、すなわち、運転計画実行条件非成立でステップＳ１０５に進む。なお、運転計画実行条件の成立か否かは、上述のように、リモコン装置６によるタイマ設定や、運転モード設定などに基づく。
【００４８】
次のステップＳ１０３では、運転計画の作成を行う。この運転計画としては、前述のように、深夜時間帯における暖房装置４、空調装置５の運転や給湯装置３の運転が含まれる。そして、ステップＳ１０３に続くステップＳ１０４では、所定の時刻に、対象となる邸Ｈに、運転計画の配信を行う。
【００４９】
一方、ステップＳ１０２において、運転計画実行条件の非成立時に進むステップＳ１０５では、運転計画の作成および配信を停止する。さらに、ステップＳ１０５に続くステップＳ１０６では、リモコン装置６による設定条件の変更の有無を確認する。なお、この設定条件の変更の有無は、運転計画の作成および配信の停止後、所定の時間が経過するたびに行うもので、例えば、毎日所定時刻に実行する。そして、好ましくは、運転計画の配信時刻以前の時刻に行う。
【００５０】
次のステップＳ１０７では、ステップＳ１０６において新たに読み込んだリモコン装置６の設定条件が、運転計画の実行が可能な設定状態であるか（運転計画実行条件成立か）否か判定する。そして、運転計画の実行ができない設定状態の場合は、ステップＳ１０５に戻り、運転計画の作成および配信の停止状態を維持する。
【００５１】
一方、ステップＳ１０７において、運転計画の実行が可能な設定状態の場合は、ステップＳ１０１に戻る。したがって、この場合は、新たに設定状態を読み込み、当然、ステップＳ１０２では、運転計画の作成が可能な設定状態であるから、ステップＳ１０３、Ｓ１０４の処理に進んで、運転計画の作成と配信とを行う。また、上述のように、設定条件の変更の有無を、運転計画の配信時刻の前に行うことで、設定変更が行われた当日に運転計画を作成して配信することが可能である。
【００５２】
次に、実施の形態１の作用を、図３のタイムチャートに基づいて説明する。このタイムチャートは、Ｗｅｂリモコン６２の制御許諾オン操作により運転計画の作成、配信を開始後に、壁リモコン６１により運転計画を実行できない設定に変更され、その後、壁リモコン６１により運転計画を実行可能な設定に変更された場合の動作を示す。
【００５３】
このタイムチャートでは、ｔ００の時点では、制御許諾オン操作が成されておらず、被制御機器（蓄電池２および各装置３〜５）に対する自動制御は停止（オフ）となっている。その後、ｔ１１の時点で、Ｗｅｂリモコン６２により制御許諾オン操作が成され、管理サーバＳｖにその信号が入力されると、図２に示す運転計画処理を開始する。なお、このｔ１１時点では、リモコン装置６による設定状態は、運転計画の実行が可能な設定状態とする。
【００５４】
この場合、管理サーバＳｖは、翌日の運転計画を作成し配信する（ステップＳ１０３、Ｓ１０４）。したがって、制御装置ＨＧＷは、運転計画に沿った自動制御の開始時刻までは、自動制御の実行を待機し（オン・待機状態）、運転計画の実行を開始する時刻（ｔ１２の時点）から、自動運転制御を開始し（オン・制御中）、毎日、運転計画に基づく自動運転を実行する。
【００５５】
この図３に示す例では、その後のｔ１３の時点で、壁リモコン６１により、例えば、タイマ設定などが運転計画の実行ができない設定状態に操作された場合を示している。この場合、運転計画実行条件が非成立となり（ステップＳ１０２）、運転計画の作成および配信を停止する（ステップＳ１０５）。したがって、被制御機器（蓄電池２および各装置３〜５）に対する運転計画に基づく自動制御を停止する（オフ状態）。
【００５６】
この自動制御を停止したオフ状態では、所定の間隔で、リモコン設定状態の確認（ステップＳ１０６）および運転計画の実行が可能な設定状態であるか否かの判定を行う（ステップＳ１０７）。
【００５７】
そして、図３のタイムチャートでは、ｔ１４の時点で、壁リモコン６１の操作が行われ、運転計画の実行が可能な設定状態に変更された場合を示している。この場合、リモコン設定状態の確認（ステップＳ１０６）および運転計画の実行が可能な設定状態であるか否かの判定（ステップＳ１０７）に基づいて、運転計画実行条件成立と判定する。
【００５８】
これにより、制御装置ＨＧＷでは、運転計画に基づく自動制御を開始可能な状態（オン・待機状態）とし、運転計画の配信後に、運転計画を実行可能な状態とする。
【００５９】
また、管理サーバＳｖでは、新たにデータを読み込み（ステップＳ１０１）、このデータに基づいて、運転計画を作成し（ステップＳ１０３）、運転計画の配信を行う（ステップＳ１０４）。
【００６０】
したがって、制御装置ＨＧＷでは、運転計画に基づく自動制御の開始時刻となったｔ１６の時点から、被制御機器（蓄電池２および各装置３〜５）の自動制御を開始する。したがって、以後は、毎日、運転計画に基づく自動制御を実行する（オン・制御中）。
【００６１】
以下に、実施の形態１の効果を列挙する。
（１）実施の形態の１建物用機器制御システムは、
邸Ｈに設けられた制御装置ＨＧＷと、
制御装置ＨＧＷにより作動を制御される被制御機器（蓄電池２および各装置３〜５）と、
制御装置ＨＧＷと通信可能に接続され、被制御機器（蓄電池２および各装置３〜５）の作動開始、作動停止、作動状態に関する運転計画を所定の間隔で作成し、かつ、作成した前記運転計画を制御装置ＨＧＷに配信する管理サーバＳｖと、
制御装置ＨＧＷに通信可能であり、被制御機器（蓄電池２および各装置３〜５）の作動開始、作動停止、作動状態の少なくともいずれかの設定が可能なリモコン装置６と、
を備え、制御装置ＨＧＷは、配信された運転計画に基づいて被制御機器の作動を制御する。
また、管理サーバＳｖは、リモコン装置６による設定が、運転計画による制御を実行できない設定であるときには、運転計画の制御装置ＨＧＷへの配信を停止するステップＳ１０５の配信停止処理を行う。さらに、その後、リモコン装置６による設定状態を確認するステップＳ１０６、Ｓ１０７の確認処理を所定の間隔で行い、確認処理により、リモコン装置６による設定が、運転計画に基づく制御を実行可能な設定に変更されたと判定したときには、ステップＳ１０５による配信停止処理を解除して、ステップＳ１０３、Ｓ１０４による運転計画の作成および配信を実行する運転計画配信処理を行う。
【００６２】
このように、管理サーバＳｖは、リモコン装置６の設定により、運転計画の実行（運転計画の作成と配信）を停止した後も、所定の間隔でリモコン装置６による設定状態の確認処理を実行し、リモコン装置６により運転計画の実行が可能な設定変更があった場合には、運転計画の作成および配信を再開する。よって、運転計画の配信を一旦停止し、運転計画の実行を停止した後であっても、リモコン装置６による設定変更に対応して、制御装置ＨＧＷによる被制御機器（蓄電池２および各装置３〜５）の自動運転制御を再開できる。
【００６３】
（２）実施の形態１の建物用機器制御システムは、
リモコン装置６として、制御装置ＨＧＷに接続された壁リモコン６１と、管理サーバＳｖに通信ネットワークＮＷを介して通信可能なＷｅｂリモコン６２とを備え、
管理サーバＳｖは、
Ｗｅｂリモコン６２による制御許諾オン操作を受けて運転計画の作成および配信を開始し、
かつ、Ｗｅｂリモコン６２の制御許諾オン操作により運転計画の作成および配信の実行中に、壁リモコン６１により運転計画に基づく制御を実行できない設定が成されたときに、ステップＳ１０５の配信停止処理を行い、ステップＳ１０６、Ｓ１０７の確認処理により、壁リモコン６１により運転計画に基づく制御を実行可能な設定に変更されたことが確認された場合に、ステップＳ１０３、Ｓ１０４の運転計画実行処理を行う。
【００６４】
このように、管理サーバＳｖに通信ネットワークＮＷを介して通信可能なＷｅｂリモコン６２による制御開始指示としての制御許諾オンにより、管理サーバＳｖは、運転計画の作成および配信を開始する。したがって、運転計画の配信および停止を、邸Ｈ内に設置された壁リモコン６１からの制御装置ＨＧＷを介した伝達系とは独立して設定することができる。これにより、邸Ｈ内の制御装置ＨＧＷを介した伝達系のみにより制御開始を設定するものと比較して、利便性が向上する。
【００６５】
（実施の形態２）
次に、実施の形態２について説明する。
この実施の形態２は、実施の形態１の変形例であり、Ｗｅｂリモコン６２による制御許諾オン操作、制御オフ操作（制御停止操作）を優先して運転計画に基づく自動制御を実行するようにした例である。
【００６６】
実施の形態２では、管理サーバＳｖでは、Ｗｅｂリモコン６２の操作に応じたＷｅｂフラグの設定を行う。図４は、管理サーバＳｖにおけるＷｅｂフラグの設定処理の流れを示している。
【００６７】
このＷｅｂフラグの設定処理は、Ｗｅｂリモコン６２の操作が行われと、その度に、管理サーバＳｖに操作に基づく信号が入力されて処理を実行する。なお、Ｗｅｂリモコン６２の操作としては、自動制御を実行させるための所定のスイッチを投入する制御許諾オン操作と、自動制御を停止させるための所定のスイッチを投入する制御オフ操作とがある。
【００６８】
ステップＳ２０１では、Ｗｅｂリモコン６２の操作が、制御許諾オン操作か否か判定し、制御許諾オン操作の場合は、ステップＳ２０２に進んで、Ｗｅｂオフフラグを「０」とする。一方、非制御許諾オン操作の場合、すなわち、制御オフ操作の場合は、ステップＳ２０３に進んで、Ｗｅｂオフフラグを「１」とする。このＷｅｂオフフラグは、次のＷｅｂリモコン６２による操作が行われるまで維持する。なお、Ｗｅｂオフフラグは、Ｗｅｂリモコン６２により、最初に自動制御を開始するための制御許諾オン操作が成されて、運転計画の作成を開始した時点（図５のフローのスタートの時点）で、「０」に設定する。
【００６９】
また、住人が、Ｗｅｂリモコン６２により制御オフ操作を行う場合というのは、例えば、旅行などで、住人が不在となる場合や、あるいは、住人が、自身の生活パターンなどに基づいて、空調などの自動制御を実行したくない場合などがある。
【００７０】
次に、図５のフローチャートに基づいて、実施の形態２の運転計画の作成手順について説明する。なお、この図５の説明において、実施の形態１と共通する処理を行うステップについては、図２に示した実施の形態１と同じステップ符号を付けて説明を省略し、実施の形態１との相違点を説明する。
データ読み込みを行うステップＳ１０１を行った後に進むステップＳ１０１ｂでは、Ｗｅｂオフフラグが「０」であるか否か判定する。そして、Ｗｅｂオフフラグが「０」の場合は、ステップＳ１０２に進んで、運転計画実行条件の成立を判定する。一方、Ｗｅｂオフフラグが「０」ではない場合、すなわち、「１」の場合は、ステップＳ１０５に進んで、運転計画の作成および配信を停止する。なお、この場合、仮に、壁リモコン６１の設定が、運転計画設定条件を満たしていても、Ｗｅｂオフフラグが「１」である限り、運転計画の作成および配信の停止を継続する。
【００７１】
次に、実施の形態２の作用を、図６のタイムチャートに基づいて説明する。
なお、このタイムチャートは、基本的には、図３に示した実施の形態１と同様の動作により、運転計画の作成および配信を行っている途中で、実施の形態１と異なり、Ｗｅｂリモコン６２により制御オフ操作を行った場合の動作例を示している。
【００７２】
このタイムチャートでは、まず、ｔ００の時点では、Ｗｅｂリモコン６２による制御許諾オン操作が成されておらず、被制御機器（蓄電池２および各装置３〜５）に対する自動制御は停止（オフ）となっている。
【００７３】
その後、ｔ２１の時点で、Ｗｅｂリモコン６２により制御許諾オン操作が成され、管理サーバＳｖにその信号が入力されると、運転計画作成の処理を開始する（スタート）。なお、この処理の開始移転の初期設定では、Ｗｅｂオフフラグは「０」となっている。
【００７４】
また、このとき壁リモコン６１の設定状態は、実施の形態１と同様に運転計画の実行が可能な設定状態、すなわち、運転計画実行条件が成立する状態であり、運転計画の作成（Ｓ１０３）および運転計画の配信（Ｓ１０４）を行う。
【００７５】
したがって、Ｗｅｂリモコン６２により制御許諾オン操作が成されたｔ２１の時点から、制御装置ＨＧＷは、オン・待機状態となり、その後、運転計画に基づく自動制御の開始時刻のｔ２２の時点から自動制御を開始する（オン・制御中）。以後、運転計画の作成および配信と、配信された運転計画に基づく自動制御を毎日実行する。
【００７６】
この図６に示すタイムチャートでは、その後のｔ２３の時点で、Ｗｅｂリモコン６２により、制御オフ操作が成された例を示している。この場合、Ｗｅｂオフフラグが「１」に設定され、以後、運転計画の作成および配信を停止する（Ｓ１０１ｂ、Ｓ１０５）。したがって、被制御機器（蓄電池２および各装置３〜５）に対する自動制御を停止した「オフ状態」とする。
【００７７】
この「オフ状態」では、所定の時間の間隔で、運転計画の作成が可能な設定状態であるか否かを確認する設定状態の再確認を行う（Ｓ１０６）。この図６のタイムチャートでは、ｔ２４の時点で、壁リモコン６１による設定状態は、運転計画の作成が可能な設定状態となっている。
【００７８】
しかしながら、この場合は、Ｗｅｂオフフラグは「１」のままであるため、自動制御を停止したオフ状態を維持する。このように、実施の形態２では、Ｗｅｂリモコン６２による自動制御のオフ状態は、邸Ｈの住人の意図によるオフであることが明白であるため、それを優先する。
【００７９】
以下に、実施の形態２の効果を列挙する。
（2-1）実施の形態１の建物用機器制御システムは、
リモコン装置６として、制御装置ＨＧＷに接続された壁リモコン６１と、管理サーバＳｖに通信ネットワークＮＷを介して通信可能なＷｅｂリモコン６２とを備え、
管理サーバＳｖは、
Ｗｅｂリモコン６２による制御許諾オン操作を受けて運転計画の作成および配信を開始する一方、Ｗｅｂリモコン６２による制御オフ操作が行われた場合にも、配信停止処理を実行し、
Ｗｅｂリモコン６２の制御オフ操作によるステップＳ１０５の配信停止処理中は、壁リモコン６１による設定が運転計画に基づく制御を実行可能な設定であっても、配信停止処理を継続し、次に、Ｗｅｂリモコン６２により制御許諾オン操作が行われ、壁リモコン６１による設定が運転計画に基づく制御を実行可能な運転計画実行条件が成立している場合に、配信停止処理を解除してステップＳ１０３、Ｓ１０４の運転計画実行処理を行う。
【００８０】
したがって、邸Ｈにおいて住人が不在になるなど、住人の操作により自動制御を停止した場合には、仮に、壁リモコン６１の設定が、運転計画に基づく制御が可能な状態であっても、Ｗｅｂリモコン６２の設定を優先し、自動制御の停止状態を維持する。このようにＷｅｂリモコン６２の操作を優先することで、利便性が向上する。
【００８１】
以上、図面を参照して本発明の実施の形態を説明したが、具体的な構成はこの実施の形態に限らず、本発明の要旨を逸脱しない程度の設計変更事項は本発明に含まれるものである。
実施の形態では、被制御機器として蓄電池２、給湯装置３、暖房装置４、空調装置５を示したが、被制御機器は、これらに限られるものではなく、これらの少なくとも１つであってもよいし、これら以外の建物に用いられる制御対象となる機器であってもよい。また、建物としても、実施の形態では、住宅（邸）を示したが、住宅以外の建物にも適用することができる。
【００８２】
また、実施の形態では、リモコン装置６は、第１のリモコン装置としての壁リモコン６１と、第２のリモコン装置としてのＷｅｂリモコン６２とを備えるものを示したが、これに限定されず、いずれか一方のみであってもよいし、あるいは、第１のリモコン装置、第２のリモコン装置を、それぞれ、複数備えていてもよい。
【００８３】
また、各邸Ｈからの管理サーバＳｖへの情報の出力を行う時刻や、管理サーバＳｖから各邸Ｈへの運転計画を出力する時刻や間隔も、実施の形態で示した時刻や間隔に限られず、任意に設定することができる。
【００８４】
また、実施の形態では、運転計画の配信を停止する際には、運転計画の作成も停止するようにしたが、運転計画の作成は行い配信のみを停止するようにしてもよい。
【符号の説明】
【００８５】
２     蓄電池（被制御機器）
３     給湯装置（被制御機器）
４     床下空調装置（被制御機器）
４     暖房装置（被制御機器）
５     空調装置（被制御機器）
６     リモコン装置
６１   壁リモコン（第１のリモコン装置）
６２   Ｗｅｂリモコン（第２のリモコン装置）
Ａ     建物用機器制御システム
Ｈ     邸（建物）
ＨＧＷ 制御装置
ＮＷ   通信ネットワーク
Ｓｖ   管理サーバ
【図１】
2020052487.tif 000003
【図２】
2020052487.tif 000004
【図３】
2020052487.tif 000005
【図４】
2020052487.tif 000006
【図５】
2020052487.tif 000007
【図６】
2020052487.tif 000008